(57)【要約】【課題】設計上単純であり、そして大きな製造費の削減を提供するアンカーを提供すること。【解決手段】構造体に装置（この装置はファスナーを備える）を固定するための２区画アンカー。この２区画アンカーは、ファスナーとの機械的なインターロックを形成するために適合されたナットに類似する第１口径および第２のスレッド状口径を備える第１区画を備える。第２区画は、第１区画を構造体に固定する。第２区画は、第２口径との機械的なインターロックにより第１区画に固定可能である第１のスレッド状部分、および構造体に第２区画を固定するための第２のスレッド状部分を備える。第１および第２の口径は、それぞれ第１および第２の直径を有し得る。第１直径は第２直径よりも大きい。ねじは、タッピンねじである。【選択図】  図１
2004169908.tif 000002
【特許請求の範囲】
【請求項１】
構造体に装置を固定するための２区画アンカーであって、該装置はファスナーを備え、該２区画アンカーは以下：
該ファスナーと機械的なインターロックを形成するために適合されたナットに類似する第１口径、および第２スレッド状口径を備える、第１区画；ならびに
該第２口径との機械的なインターロックにより該第１区画に固定可能である第１スレッド状部分、および該構造体に該第２区画を固定するための第２スレッド状部分を備える、該構造体に該第１区画を固定するための第２区画、
を備える、２区画アンカー。
【請求項２】
前記第１口径および前記第２口径が、それぞれ第１直径および第２直径を有し、該第１直径が該第２直径よりも大きい直径および該第２直径よりも小さい直径のうちの一方である、請求項１に記載の２区画アンカーアセンブリ。
【請求項３】
前記第２区画が、ヘッドレスタッピンねじであり、これによって、第１末端がスレッドを示し、そして第２末端が該第２末端上に形成されたドリル点を有し、ここで、該第１部分は該スレッドを備え、そして該第２部分は該ドリル点を備える、請求項２に記載の２区画アンカーアセンブリ。
【請求項４】
前記タッピンねじが、前記第１部分と前記第２部分との間に配置されたフランジをさらに備え、前記第１区画は下部表面を有し、ここで、該第１区画は前記第２区画に固定されており、該フランジは該下部表面と対を成して接触している、請求項３に記載の２区画アンカーアセンブリ。
【請求項５】
前記フランジおよび前記下部表面のうちの一方が、該フランジが該下部表面と対を成して接触する際に、前記第１区画に対する前記第２区画の回転による移動を阻止するために適合された食いつき端を備える、請求項４に記載の２区画アンカーアセンブリ。
【請求項６】
前記下部表面が前記第１区画の凹部内に配置される、請求項５に記載の２区画アンカーアセンブリ。
【請求項７】
前記第１口径が前記第２口径に対して約９０度で配置される、請求項１に記載の２区画アンカーアセンブリ。
【請求項８】
前記第１口径が前記第２口径と同軸である、請求項１に記載の２区画アンカーアセンブリ。
【請求項９】
連続的な穴が、前記第１口径および前記第２口径の両方を通って規定される、請求項２に記載の２区画アンカーアセンブリ。
【請求項１０】
前記第１区画の中間部分が前記第１口径と前記第２口径との間に配置され、該中間部分が前記構造体に前記第２区画を固定するためのツールを受け入れるために適合されている、請求項２に記載の２区画アンカーアセンブリ。
【請求項１１】
請求項１に記載の２区画アンカーアセンブリと組み合わせたファスナーであって、第１口径と取り外し可能に係合可能なスレッド状ロッドを備える、ファスナー。
【請求項１２】
アンカーであって、以下：
１区画コネクタであって、該コネクタ上に第１部分および第２部分が形成されており、該第１部分はスレッド状端を備え、そして該第２部分は付着端を備える、コネクタ；ならびに
１区画カップリングであって、該カップリング上に第１固定部分および第２固定部分が形成されており、該第１部分は該第２端と付着端との間の機械的なインターロックにより該コネクタと取り外し可能に係合されており、そして該第２部分は取り付け表面に該コネクタを固定するために適合されている、カップリング、
を備える、アンカー。
【請求項１３】
前記第２部分がタッピンねじであり、前記スレッド状端が六角ナットに類似する、請求項１２に記載のアンカー。
【請求項１４】
前記カップリングが、前記第１部分と前記第２部分との間に形成されたフランジを備える、請求項１３に記載のアンカー。
【請求項１５】
前記コネクタが第１端および第２端を有し、該第２端が、前記第１部分が該コネクタと係合する際に、前記フランジと対を成すための環状凹部を備える、請求項１４に記載のアンカー。
【請求項１６】
前記機械的インターロックが、前記付着端および前記第１部分のそれぞれに形成された、第１スレッドと第２スレッドとの間の係合を含む、請求項１２に記載のアンカー。
【請求項１７】
請求項１２に記載のアンカーと組み合わせた備品であって、架台およびコネクタのスレッド状端と機械的に係合するスレッド状ボルトを含む、備品。
【請求項１８】
２区画ナットおよびねじ固定アセンブリを用いてパイプハンガーを取り付ける方法であって、該パイプハンガーはスレッド状ロッドを有し、該方法は、以下：
ねじとナットとの間のスレッド状の係合を介して該ねじを該ナットに機械的に取り付ける工程；
ベース資材に該ねじの一部分を推進する工程；および
該ナットに該ロッドを固定する工程、
を包含する、方法。
【請求項１９】
請求項１８に記載の方法であって、以下：
前記ナットにおいて同軸状に配置した第１および第２の口径を形成する工程であって、該工程は、該第１および第２の口径内に、それぞれ、第１および第２のスレッドを形成する工程を包含する、工程；および
前記ベース資材に前記ねじを推進するためのドリル点を該ねじの一端に、そして前記ナットと係合するためのスレッド状スタッドを該ねじの反対端に形成する工程、
をさらに包含する、方法。
【請求項２０】
前記推進工程が、推進ツールのソケットに前記ナットを配置する工程、および該推進ツールを用いて前記ベース資材に前記ねじを推進する工程、をさらに包含する、請求項１８に記載の方法。
【請求項２１】
前記ナットと前記ねじとの間の恒久的な接続を容易にするために、前記機械的な取り付け工程の前に、該ナットおよび該ねじのうちの少なくとも一方に接着剤を適用する工程を包含する、請求項１８に記載の方法。
【請求項２２】
アンカーアセンブリであって：
第１部分と一体的に形成されたスレッド状係合部分を備える第１区画；
第２部分および固定部分を備える第２区画；ならびに
該第１部分および該第２部分を機械的に係合するための手段、
を備える、アンカーアセンブリ。
【請求項２３】
前記第２部分および第１部分を機械的に係合するための手段が、前記第１区画および前記第２区画のうちの一方におけるスタッドの形成を含み、該スタッドは該第１区画および該第２区画のうちの他方に形成されたスリーブおよび口径のうちの一方と取り外し可能に係合可能である、請求項２２に記載のアンカー。
【請求項２４】
前記スタッドがスレッド状スタッドであり、前記スリーブおよび口径のうちの一方がその内側壁表面に形成されたスレッドを備える、請求項２３に記載のアンカー。
【請求項２５】
前記機械的に係合するための手段が、恒久的な係合および取り外し可能な係合のうちの一方を含む、請求項２２に記載のアンカー。
【請求項２６】
前記取り外し可能な係合が、スレッド、鍵穴、インターロック用歯、およびチャネルに受け入れられる歯のうちの１つの型の機械的係合を提供するために、前記第１部分および前記第２部分に形成された構造を含む、請求項２５に記載のアンカー。
【請求項２７】
前記機械的に係合するための手段が、前記第１部分および前記第２部分のうちの少なくとも一方への接着剤の適用を含む、請求項２６に記載のアンカー。
【請求項２８】
前記固定部分がタッピンねじであり、そして前記係合部分がスレッド状口径を備える、請求項２２に記載のアンカー。
【発明の詳細な説明】
【０００１】
【発明の属する技術分野】
本発明は、概して、建築物または他の構造体に備品を固定するためのアンカー（アンカー）、より詳細には、２区画アンカーアセンブリに関する。
【０００２】
【従来の技術】
建築物などに構造体を取り付けるためのスクリューナットファスナーが知られている（例えば、特許文献１および特許文献２）。これらの特許において、六角ナットがスクリューと一体的に形成されているか、または溶接もしくはスエージ加工した連結部によりスクリューに取り付けられている。他の設計において、固定システムは、建築物または他の型の構造体に備品（例えば、パイプハンガー）を取り付けるための３つ以上の部分のアセンブリを含む。このような多区画アンカーの例は、特許文献３および特許文献４に提供される。
【０００３】
種々の構造体に備品を固定するために容易に適合されているが、設計上単純であり、そして大きな製造費の削減を提供するアンカーを有することが望ましい。
アンカー、備品へのアンカーの連結部、および／または構造体の組み立てのために規格化されたファスナーを用いて製造され得、そして組み立てられる部品が最小数でありかつ製造に効果的な費用であるアンカーアセンブリを提供することもまた、望ましい。
【０００４】
【特許文献１】
米国特許第５，６９７，７４６号明細書
【特許文献２】
米国特許第５，５１８，３５１号明細書
【特許文献３】
米国特許第５，２９５，６４７号明細書
【特許文献４】
米国特許第４，９３４，６３４号明細書
【０００５】
【発明が解決しようとする課題】
本発明は、設計上単純であり、そして大きな製造費の削減を提供するアンカーを提供することを目的とする。
【０００６】
【課題を解決するための手段】
１つの局面において、本発明は、構造体に装置を固定するための２区画アンカーを提供する。ここで、この装置はファスナーを備え、２区画アンカーは以下：ファスナーと機械的なインターロックを形成するために適合されたナットに類似する第１口径、および第２スレッド状口径を備える、第１区画；ならびに
第２口径との機械的なインターロックにより第１区画に固定可能である第１スレッド状部分、および構造体に第２区画を固定するための第２スレッド状部分を備える、構造体に第１区画を固定するための第２区画、
を備える。
【０００７】
１つの実施形態において、上記第１口径および前記第２口径は、それぞれ第１直径および第２直径を有し、第１直径は、第２直径よりも大きい直径および第２直径よりも小さい直径のうちの一方である。
【０００８】
好ましい実施形態において、連続的な穴が、上記第１口径および上記第２口径の両方を通って規定される。
【０００９】
好ましい実施形態において、上記第１区画の中間部分は上記第１口径と上記第２口径との間に配置され、中間部分が上記構造体に上記第２区画を固定するためのツールを受け入れるために適合されている。
【００１０】
好ましい実施形態において、上記第２区画は、ヘッドレスタッピンねじであり、これによって、第１末端がスレッドを示し、そして第２末端が第２末端上に形成されたドリル点を有する。ここで、第１部分はスレッドを備え、そして第２部分はドリル点を備える。
【００１１】
さらに好ましい実施形態において、上記タッピンねじは、上記第１部分と上記第２部分との間に配置されたフランジをさらに備え、上記第１区画は下部表面を有する。ここで、第１区画は上記第２区画に固定されており、フランジは下部表面と対を成して接触している。
【００１２】
なおさらに好ましい実施形態において、上記フランジおよび上記下部表面のうちの一方が、フランジが下部表面と対を成して接触する際に、上記第１区画に対する上記第２区画の回転による移動を阻止するために適合された食いつき端を備える。
【００１３】
なおさらに好ましい実施形態において、上記下部表面は上記第１区画の凹部内に配置される。
【００１４】
別の実施形態において、上記第１口径は上記第２口径に対して約９０度で配置される。
【００１５】
別の実施形態において、上記第１口径は上記第２口径と同軸である。
【００１６】
別の局面において、本発明は、第１口径と取り外し可能に係合可能なスレッド状ロッドを備える、上記２区画アンカーアセンブリと組み合わせたファスナーを提供する。
【００１７】
別の局面において、本発明は、アンカーであって、以下：
１区画コネクタであって、コネクタ上に第１部分および第２部分が形成されており、第１部分はスレッド状端を備え、そして第２部分は付着端を備える、コネクタ；ならびに
１区画カップリングであって、カップリング上に第１固定部分および第２固定部分が形成されており、第１部分は該第２端と付着端との間の機械的なインターロックによりコネクタと取り外し可能に係合されており、そして第２部分は取り付け表面にコネクタを固定するために適合されている、カップリング、
を備える、アンカーを提供する。
【００１８】
１つの実施形態において、上記第２部分はタッピンねじであり、上記スレッド状端は六角ナットに類似する。
【００１９】
好ましい実施形態において、上記カップリングは、上記第１部分と上記第２部分との間に形成されたフランジを備える。
【００２０】
さらに好ましい実施形態において、上記コネクタは第１端および第２端を有し、上記第２端は、上記第１部分がコネクタと係合する際に、上記フランジと対を成すための環状凹部を備える。
【００２１】
別の実施形態において、上記機械的インターロックが、上記付着端および上記第１部分のそれぞれに形成された、第１スレッドと第２スレッドとの間の係合を含む。
【００２２】
別の局面において、本発明は、架台およびコネクタのスレッド状端と機械的に係合するスレッド状ボルトを含む、上記アンカーと組み合わせた備品を提供する。
【００２３】
別の局面において、本発明は、２区画ナットおよびねじ固定アセンブリを用いてパイプハンガーを取り付ける方法を提供する。このパイプハンガーはスレッド状ロッドを有し、そしてこの方法は、以下：
ねじとナットとの間のスレッド状の係合を介してねじをナットに機械的に取り付ける工程；
ベース資材にねじの一部分を推進する工程；および
ナットにロッドを固定する工程、
を包含する。
【００２４】
１つの実施形態において、上記方法は：
上記ナットにおいて同軸状に配置した第１および第２の口径を形成する工程であって、工程は、第１および第２の口径内に、それぞれ、第１および第２のスレッドを形成する工程を包含する、工程；および
上記ベース資材に上記ねじを推進するためのドリル点をねじの一端に、そして上記ナットと係合するためのスレッド状スタッドをねじの反対端に形成する工程、
をさらに包含する。
【００２５】
別の実施形態において、上記方法は、上記推進工程が、推進ツールのソケットに上記ナットを配置する工程、および推進ツールを用いて上記ベース資材に上記ねじを推進する工程、をさらに包含する。
【００２６】
別の実施形態において、上記方法は、上記ナットと前記ねじとの間の恒久的な接続を容易にするために、上記機械的な取り付け工程の前に、ナットおよびねじのうちの少なくとも一方に接着剤を適用する工程を包含する。
【００２７】
別の局面において、本発明は、以下：
第１部分と一体的に形成されたスレッド状係合部分を備える第１区画；
第２部分および固定部分を備える第２区画；ならびに
第１部分および第２部分を機械的に係合するための手段、
を備えるアンカーアセンブリを提供する。
【００２８】
１つの実施形態において、上記第２部分および第１部分を機械的に係合するための手段が、上記第１区画および上記第２区画のうちの一方におけるスタッドの形成を含み、そしてスタッドは第１区画および第２区画のうちの他方に形成されたスリーブおよび口径のうちの一方と取り外し可能に係合可能である。
【００２９】
好ましい実施形態において、上記スタッドはスレッド状スタッドであり、上記スリーブおよび口径のうちの一方がその内側壁表面に形成されたスレッドを備える。
【００３０】
別の実施形態において、上記機械的に係合するための手段は、恒久的な係合および取り外し可能な係合のうちの一方を含む。
【００３１】
好ましい実施形態において、上記取り外し可能な係合は、スレッド、鍵穴、インターロック用歯、およびチャネルに受け入れられる歯のうちの１つの型の機械的係合を提供するために、上記第１部分および上記第２部分に形成された構造を含む。
【００３２】
さらに好ましい実施形態において、上記機械的に係合するための手段は、上記第１部分および上記第２部分のうちの少なくとも一方への接着剤の適用を含む。
【００３３】
別の実施形態において、上記固定部分はタッピンねじであり、そして上記係合部分はスレッド状口径を備える。
【００３４】
本発明のアンカーアセンブリにより、上記の要求が満たされ、そして先行技術の欠点が克服される。１つの実施形態に従って、構造体に装置（この装置はファスナーを備える）を固定するために２区画アンカーが使用される。２区画アンカーは、ファスナーとの機械的なインターロックを形成するために適合されたナットに類似する第１口径および第２のスレッド状口径を備える第１区画を備える。
第２区画は、第１区画を構造体に固定する。第２区画は、第２口径との機械的なインターロックにより第１区画に固定可能である第１のスレッド状部分、および構造体に第２区画を固定するための第２のスレッド状部分を備える。第１および第２の口径は、それぞれ第１および第２の直径を有し得る。第１直径は第２直径よりも大きい。ねじは、タッピンねじであり得る。第２区画は、第１部分と第２部分との間に配置されたフランジを備え得、第２区画が第１区画に固定される場合、フランジは第２区画の下部表面と対を成して接触する。この下部表面は、第１区画と第２区画との間の固定保持を容易にする食いつき端を備え得る。この固定保持は、接着剤を使用することによりさらに確実にされ得る。第２区画は、一方の端に第１部分に対応するスレッドが形成され、他方の端にドリル点が形成されたヘッドレスタッピンねじに対応し得る。
【００３５】
別の実施形態において、アンカーが提供される。このアンカーは、１区画コネクタであって、その上に第１および第２の部分が形成されており、第１部分がスレッド状端を備え、そして第２部分が付着端を備える、コネクタ、および１区画カップリングであって、その上に第１および第２の固定部分が形成されており、第１部分が第２端と付着端との間の機械的なインターロックによりコネクタと取り外し可能に係合しており、第２部分が取り付け表面にコネクタを固定するために適合されている、カップリングを備える。この実施形態において、第１端はスレッド状口径を形成し得、そして第２部分はタッピンねじを形成し得る。
【００３６】
別の実施形態において、２部分ナットおよびねじ固定アセンブリを用いて装置を取り付ける方法が提供される。この装置は、パイプハンガー、ユーティリティトレイ、ダクト、照明システム、スプリンクラーシステム、電気システム、吊り天井、冷凍システムに対応し得る。この方法は、ねじとナットとの間のスレッド状係合を介してナットにねじを機械的に取り付ける工程、ねじの一部分をベース資材に推進する工程、およびナットに装置のロッドカップリングを固定する工程を包含する。推進工程はさらに、ナットを推進ツール（例えば、パワードリル）のソケットに挿入する工程、およびこの推進ツールを用いてベース資材にねじを推進する工程を包含し得る。
【００３７】
別の実施形態において、アンカーアセンブリは、第１部分と一体的に形成されたスレッド状係合部分を備える第１区画、第２部分および固定部分を備える第２区画、ならびに第１部分と第２部分とを機械的に係合する手段を備える。この係合手段は、第１部分および第２部分のうちの１つにおけるスタッドならびに第１部分および第２部分の他方における口径およびスリーブのうちの１つの形成を含み得る。第１部分および第２部分は、各々、第１区画と第２区画との間の機械的なインターロックを容易にするスレッドを備え得る。
【００３８】
本発明のさらなる特徴および利点は、以下の説明から明らかである。本発明の特徴および利点は、記載された説明およびその特許請求の範囲ならびに添付の図面において特に指し示された構造および方法により、実現および達成される。
【００３９】
前述の一般的な説明および以下の詳細な説明は例示および説明であり、権利を請求する本発明の範囲を限定することなくさらなる説明を提供することが意図されることが理解される。
【００４０】
【発明の実施の形態】
本発明のアンカーは、２区画構成のアンカーである。アンカーアセンブリの各区画は一体的な構築物、例えば、高強度の資材（例えば、スチール）の第１および第２の区画である。第１区画は、例えば、スレッドをインターロックすることにより備品と機械的に係合し得るナットとして形成され得る。第２区画は、建築物または他の構造と第１区画を連結するためのファスナー（例えば、ねじ部材）を備え得る。第１および第２の区画は、ひとつにインターロックされてアンカーを形成している。このアンカーは、パイプハンガー、フレーム、または他の構造体を、建築物の木材、スチール、またはコンクリート構造に取り付けるために使用され得る。
【００４１】
本発明の１つの例を図１〜５に示す。この実施形態において、ファスナー１０は、ナット１２および固定構造６０によりナット１２に接続されたねじ部材１４を備える。好ましくは、固定構造６０は、ねじ１４とナット１２との間のスレッド状の係合により提供される。固定構造６０は、ねじ１４上に形成されたスレッド状のスリーブ（または口径）に受け取られるナット１２上に形成されたスレッド状のスタッドにより代替的に提供され得る。示される実施形態において、固定構造６０は、下部口径２８のスレッド３０と係合するスタッド５０上のスレッド５２を備える。図１、３、および５を参照すると、固定構造６０はまた、好ましくは、ねじ部材１４のフランジ４８と係合するために下部２６の下端に形成された、食いつき部様表面３４を含む凹部３２を備える。食いつき表面３４を有する凹部３２を備えることにより、ねじ部材１４の凹部への回転およびねじ部材１４の回転による表面３４との対係合は、ねじ部材１４とナット１２との間の摩擦による保持を促進し、それによってねじまたはナットに適用されたトルクが、ねじとナットとの間で相対的に回転する機会を減少させる。ねじ部材１４とナット１２との間のこの機械的な接続はまた、例えば、スレッドに接着剤（例えば、Ｌｏｃｔｉｔｅ）を適用することにより、恒久化され得る。
【００４２】
図２、３、および５を参照すると、ナット１２は、好ましくは、上部２０に形成された、好ましくは六角ナットに類似する外側表面を有する第１口径２２、およびナット１２の下部２６に形成された第２口径２８を備える。示される実施形態において、第１口径２２および第２口径２８は、ナット１２を通って延びる段差のついた直径の穴を規定する。代替の実施形態において、ナット１２は、第１口径２２と第２口径２８との間に位置し、これらを分離する中実の中間セクションを有し得る。この中間セクションは、従来の直線スロットまたは凹部交差スロット、あるいはその表面上に形成された多角形の凸部（または凹部）を備え、ねじ回しを上部口径２２に挿入することにより、ナット１２とねじ回しとの係合を容易にし得る。スレッド２４は、口径２２の内側壁に沿って形成され、ベース資材に固定された備品の相補的なスレッド状スタッドまたはロッドとの機械的な係合を容易にし得る。口径２２とスタッドとの間のインターロックによる係合の他の型（例えば、鍵穴、インターロック用歯またはＬ字型チャネルに受け入れられる歯）が使用され得る。図２、３、および５に見られ得るように、スレッド２４のピッチは、口径２８のスレッド３０のピッチよりも大きく、口径２２は、口径２８よりも大きい直径を有し得る。上部口径２２のスレッド２４およびスレッド対３０および５２は、備品の対を成すロッドがナット１２に固定される場合、適用されるトルクがスタッド５０と下部２６との間の係合を堅くするように向けられる。
【００４３】
図４を参照すると、ねじ部材１４は、下部４０、スレッド５２を有するスタッド５０、およびスタッド５０と下部４０との間に形成されたフランジ４８を備える。ねじ１４は、図４に示されるように、ヘッドレスねじと類似し得る。ねじ部材１４の端４４は、ねじ部材１４がタッピンねじとして使用され得るように、ドリル点４６として形成され得る。例示の実施形態において、ドリル点４６は、タップを有さない金属構造（例えば、Ｉ型梁）にねじ部材１４を固定するために適合されているが、代替的に、タップを有さない木材構造にねじ部材１４を固定する形状であり得る。当然、下部４０は、代替的に、予め形成された穴（例えば、コンクリートベースの資材の場合）に固定可能であり得る。スタッド５０のスレッド５２のピッチは、用途に依存して、下部４０のスレッド４２と同じピッチであっても異なるピッチであってもよい。例えば、木材への適用において、スレッド４２のピッチは、代表的に、スレッド５２のピッチよりも大きい。同一のスレッド５２は、１つのナット１２の型が、種々のベース資材に使用され得るように、例えば、コンクリート、木材、またはスチールベースの資材に係合するために適合されたスレッドおよび／またはドリル点を有する下部４０のために使用され得る。
【００４４】
固定構造６０の代替の実施形態において、ナット１２の下部２６は、例えば、１２０度の増分（インクレメント）で形成された歯を有する口径を有し得る。これらの歯は、スタッド５０に形成された対応するＬ字型チャネルの垂直部分に垂直に挿入される（歯およびチャネルは、代替的に、それぞれ、スタッドおよびナットに形成され得る）。歯は、Ｌ字型チャネルの垂直部分に完全に挿入された後、このチャネルの水平部分と対峙する。次いで、ナット１２は、歯が水平チャネルに進入し、（例えば、歯と水平チャネルとの間に形成された爪により）チャネル内に固定され合致するようにねじられる。鍵穴接続またはインターロック用歯のような、ナット１２とねじ１４との間の機械的なインターロックによる接続の他の実施形態が企図される。固定構造６０のスタッドまたは口径部分（スタッドがねじ１４に位置しようがナット１２に位置しようが）はまた、ねじ１４が口径２８に挿入された場合に変形して、ナット１２とねじ１４との間の固定を容易にする可塑性部分（例えば、ライニング）を備え得る。
【００４５】
本発明の第１の実施形態において、口径２２および２８は、図５に示されるように、互いに同軸である。第２の実施形態において、ファスナーアセンブリは、口径が、互いに軸からはずれた方向（例えば、互いに対して９０度の方向）を向いているナットを備え得る。このような実施形態を図６に示す。ナット７０は、水平方向に延びた第１口径７４および垂直方向に延びた第２口径７８を備える。
ナット７０は、ねじ部材１４に固定され得る。好ましくは、スレッド７６および口径の直径７８は、ナット１２のスレッド３０および口径２８の直径と同一であり、その結果、２つのナットは容易に交換されて、取り付けロッドに付与され得る。
【００４６】
好ましい実施形態において、ナット１２の上部２０は、パワードリルまたはファスナー１０をベース資材へと推進するために使用される他のツールのチャックに取り付けるための従来のソケットに受け入れられ得る六角ねじに類似する形状である。あるいは、上部２０は、正方形または多角形（例えば、八角形）の形状をとり得るか、または上部は、円柱形であり得る。後者の場合、ツール保持表面は、上記のような、口径２２と２８との間に配置された中間セクションにより提供され得る。
【００４７】
ファスナーの第１および第２の実施形態の２つの可能性のある使用を、図７および８に示す。図７において、ナット１２は、第１ベース資材９４（建築物の天井であり得る）にパイプ９２を取り付けるために使用される。ファスナーはベース資材９４に固定され得、次いで、ロッド９３はナット１２に固定され得る。反対側の端において、ロッド９３は、パイプ９２を支持する架台９０に係合し；図８において、ナット７０は、第２ベース資材９４（梁、トラス、または支柱であり得る）にケーブルトレイ９６を取り付けるために使用される。ナット１２と同一の口径およびスレッドを有するナット７０のために、同一のロッド９３が使用され得る。ファスナー１０は、本発明の範囲から逸脱することなく、ベース資材に他の型の備品を取り付けるために容易に使用され得る。
【００４８】
本発明により、建築物または他のベース資材に備品を固定するファスナーが提供される。このファスナーは、２区画間の機械的な係合により構築される。第１区画は第１および第２口径を備える。第１口径は、備品（例えば、パイプハンガー）に接続され得、そして第２口径は、タッピンねじを備え得る第２区画と機械的に係合される。
【００４９】
添付の図面は、本発明のさらなる理解を提供することを意図し、本明細書に組み込まれその一部を構成する。添付の図面は、本発明の好ましい実施形態を示し、そしてその説明と共に、本発明の原理を説明する働きをする。
【００５０】
【発明の効果】
本発明により、設計上単純であり、そして大きな製造費の削減を提供するアンカーが提供される。
【図面の簡単な説明】
【図１】図１は、本発明の原理に従い作製されたナットおよびねじ部材を備える組み立てられたファスナーの第１の実施形態の平面図である。
【図２】図２は、図１の断面ＩＩ−ＩＩから見た図１のファスナーのナットの上面図である。
【図３】図３は、図１の断面ＩＩＩ−ＩＩＩから見たナットの底面図である。
【図４】図４は、図１のファスナーのねじ部材の側面図である。
【図５】図５は、図１のナットの側面図である。
【図６】図６は、本発明の第２の実施形態に従うナットの側面図である。
【図７】図７は、ファスナーの第１の実施形態の可能性のある使用の斜視図である。
【図８】図８は、ファスナーの第２の実施形態の可能性のある使用の斜視図である。
【図１】
2004169908.tif 000003
【図２】
2004169908.tif 000004
【図３】
2004169908.tif 000005
【図４】
2004169908.tif 000006
【図５】
2004169908.tif 000007
【図６】
2004169908.tif 000008
【図７】
2004169908.tif 000009
【図８】
2004169908.tif 000010